(57)【要約】【課題】全体的に電磁波を低減することのできるヘアードライヤーを提供する。【解決手段】ヘアードライヤー（１）は、吹出口（２１）と吸込口（２２）とを連通する通気路（２３）を内部に形成したドライヤー本体（２）と、ドライヤー本体に内蔵された送風ファンユニット（４）およびヒーターユニット（３）と、ドライヤー本体から延出した電源コード（５）とを備える。電源コードは、電力供給線の入力ライン（５１）と出力ライン（５２）とを含み、入力ラインと出力ラインとは、入力ラインと出力ラインとから生じる電磁波を相殺するように、ツイストペアケーブルの形態とされている。【選択図】図１
0003197592.tif 000002
【実用新案登録請求の範囲】
【請求項１】
吹出口と吸込口とを連通する通気路を内部に形成したドライヤー本体と、
当該ドライヤー本体に内蔵された送風ファンユニットおよびヒーターユニットと、
前記ドライヤー本体から延出した電源コードとを備え、
前記電源コードは、電力供給線の入力ラインと出力ラインとを含み、
前記入力ラインと前記出力ラインとは、前記入力ラインと前記出力ラインとから生じる電磁波を相殺するように、ツイストペアケーブルの形態とされている、ヘアードライヤー。
【請求項２】
前記電源コードのツイストの回数は、０．５回／ｃｍ以上である、請求項１に記載のヘアードライヤー。
【請求項３】
前記ツイストペアケーブルの形態とされている電源コードから放出される電磁波は、３ｍＧ以下である、請求項１または２に記載のヘアードライヤー。
【請求項４】
絶縁耐火性支持体に電熱線が巻回されたヘアードライヤーであって、
吹出口と吸込口とを連通する通気路を内部に形成したドライヤー本体と、
当該ドライヤー本体に内蔵された送風ファンユニットおよびヒーターユニットと、
ドライヤー本体から延出した電源コードとを備え、
前記電源コードは、電力供給線の入力ラインと出力ラインとを含み、
前記入力ラインと前記出力ラインとの間に第１電熱線及び第２電熱線が並列接続され、
前記第１電熱線及び第２電熱線は、当該電熱線から生じる電磁波を相殺するよう前記第１電熱線と第２電熱線とを流れる電流が逆向きとなるように、前記絶縁耐火性支持体の周囲で交互に同方向で、且つ、隣り合う第１電熱線及び第２電熱線が同等の巻き径で、巻回され、
前記入力ラインと前記出力ラインとは、前記入力ラインと前記出力ラインとから生じる電磁波を相殺するように、ツイストペアケーブルの形態とされている、ヘアードライヤー。
【請求項５】
前記電熱線の前記吹出口側に、セラミック製ハニカム状構造体が設けられている、請求項１〜４のいずれかに記載のヘアードライヤー。
【考案の詳細な説明】
【技術分野】
【０００１】
この考案は、整髪等に使用するヘアードライヤーに関する。
【背景技術】
【０００２】
電磁波が人体に影響を与えるか否かは明らかではないが、近年、各国において、電磁波が人体に与える影響の研究がなされており、電磁波を多く浴び続けると、がんを発症しやすくなるなどの健康被害があるとの情報もある。
【０００３】
このような電磁波の危険性から、電磁波の放出が少ないヘアードライヤーが知られている。特開２００６−１１２７７１号公報（特許文献１）では、このようなヘアードライヤーにおいて、電熱線に流れる電流を逆向きにすることで、磁力線および電流を相殺させて、電磁波の放出を低減させることが開示されている。
【先行技術文献】
【特許文献】
【０００４】
【特許文献１】特開２００６−１１２７７１号公報（特許第３７８５４２２号公報）
【考案の概要】
【考案が解決しようとする課題】
【０００５】
特許文献１のヘアードライヤーは、ヘアードライヤー本体から放出される電磁波を低減することが期待できる。しかし、ヘアードライヤーの電源コードが、電磁波を放出するか否かについては、何の配慮もなされていなかった。本願考案者は、ヘアードライヤーの開発段階で、電源コードから放出される電磁波を測定した結果、電源コードからもある程度の電磁波が放出されていることが分かった。
【０００６】
上述のように、電磁波が人体に与える影響は明らかではないが、電磁波を多く浴び続けると、健康被害を懸念する可能性がある。このような懸念を払拭するため、本願考案者は、ヘアードライヤー全体から見て、ヘアードライヤー本体から放出される電磁波のみならず、電源コードから放出される電磁波をも低減することを考えた。
【０００７】
特に、ヘアードライヤーは、頭に使用するものであるため、使用時に電源コードが胸の近くに垂れてくることが多い。ヘアードライヤーを使用するのは、一般的に女性が多いため、電源コードから放出される電磁波により、乳がんなどの女性に対する影響が懸念される。さらに、妊婦は、電磁波による胎児に対する影響を懸念している。
【０００８】
そこで、本考案は、上記のような課題を解決するためになされたものであって、その目的は、全体的に電磁波を低減することのできるヘアードライヤーを提供することである。
【課題を解決するための手段】
【０００９】
この考案に係るヘアードライヤーは、吹出口と吸込口とを連通する通気路を内部に形成したドライヤー本体と、ドライヤー本体に内蔵された送風ファンユニットおよびヒーターユニットと、ドライヤー本体から延出した電源コードとを備える。電源コードは、電力供給線の入力ラインと出力ラインとを含み、入力ラインと出力ラインとは、入力ラインと出力ラインとから生じる電磁波を相殺するように、ツイストペアケーブルの形態とされている。
【００１０】
本考案のヘアードライヤーによれば、ヘアードライヤーの電源コードから放出される電磁波を低減することができ、電磁波による健康被害の懸念を解消することができる。
【００１１】
なお、ツイストペアケーブルとして、情報信号を送受信する情報配線用のＬＡＮケーブルやネットワークケーブルなどが知られている。しかし、これらはあくまで情報信号を伝達するにすぎず、ノイズを低減することを目的とするものである。したがって、ヘアードライヤーの電源コードに、ツイストペアケーブルを用いることは、当業者であっても容易に想到することができない。
【００１２】
好ましくは、電源コードのツイストの回数は、０．５回／ｃｍ以上である。
【００１３】
好ましくは、ツイストペアケーブルの形態とされている電源コードから放出される電磁波は、３ｍＧ以下である。
【００１４】
この考案に係るヘアードライヤーは、絶縁耐火性支持体に電熱線が巻回されている。ヘアードライヤーは、吹出口と吸込口とを連通する通気路を内部に形成したドライヤー本体と、ドライヤー本体に内蔵された送風ファンユニットおよびヒーターユニットと、ドライヤー本体から延出した電源コードとを備える。電源コードは、電力供給線の入力ラインと出力ラインとを含み、入力ラインと出力ラインとの間に第１電熱線及び第２電熱線が並列接続され、第１電熱線及び第２電熱線は、電熱線から生じる電磁波を相殺するよう第１電熱線と第２電熱線とを流れる電流が逆向きとなるように、絶縁耐火性支持体の周囲で交互に同方向で、且つ、隣り合う第１電熱線及び第２電熱線が同等の巻き径で、巻回され、入力ラインと出力ラインとは、入力ラインと出力ラインとから生じる電磁波を相殺するように、ツイストペアケーブルの形態とされている。
【００１５】
好ましくは、ヘアードライヤーは、電熱線の吹出口側に、セラミック製ハニカム状構造体が設けられている。
【考案の効果】
【００１６】
本考案によれば、全体的に電磁波を低減することのできるヘアードライヤーを提供することができる。
【図面の簡単な説明】
【００１７】
【図１】本考案の実施の形態に係るヘアードライヤーを示す部分透視図である。
【図２】電熱線の巻回状態を説明するための概念図である。
【図３】図１のＩＩＩ−ＩＩＩに沿って見た電源コードの断面図である。
【図４】入力ラインと出力ラインをツイストさせた状態を示す模式図である。
【図５】入力ラインと出力ラインをツイストさせた状態において、電流の流れを示す概念図である。
【図６】入力ラインの電磁波を計測した状態を示す図である。
【図７】入力ラインと出力ラインとを平行に並べた状態の電磁波を計測した状態を示す図である。
【図８】入力ラインと出力ラインとを５ｃｍ当たり１回ツイストさせた形態の電磁波を計測した状態を示す図である。
【図９】入力ラインと出力ラインとを５ｃｍ当たり２回ツイストさせた形態の電磁波を計測した状態を示す図である。
【図１０】入力ラインと出力ラインとを５ｃｍ当たり３回ツイストさせた形態の電磁波を計測した状態を示す図である。
【図１１】入力ラインと出力ラインとを５ｃｍ当たり５回ツイストさせた形態の電磁波を計測した状態を示す図である。
【考案を実施するための形態】
【００１８】
本考案の実施の形態について図面を参照しながら詳細に説明する。なお、図中同一または相当部分には同一符号を付してその説明は繰返さない。
【００１９】
図１を参照して、本実施の形態に係るヘアードライヤー１の実施形態について説明する。
【００２０】
本実施の形態に係るヘアードライヤー１は、前端に吹出口２１を有し、後端に吸込口２２を有するとともに、吹出口２１と吸込口２２とを連通する通気路２３を内部に形成する。ドライヤー本体２は、たとえば、筒状であり、ドライヤー本体２の通気路２３には、送風ファンユニット４とヒーターユニット３とが内蔵されている。なお、ヘアードライヤー１は、ドライヤー本体２の外周面に吸込口２２を有していてもよい。
【００２１】
ヒーターユニット３は、電熱線３１を含み、たとえば、コイル状にしたニクロム線によって形成されている。なお、図示の説明において、電熱線３１はコイル状ではなく、実線によって表している。電熱線３１は、絶縁耐火性支持体３２に巻回されていることが望ましい。送風ファンユニット４は、たとえば、送風ファンモーター４１と送風ファン４２とを含む。
【００２２】
送風ファンモーター４１としては、たとえば、ブラシレスモーターが用いられる。ブラシレスモーターは、整流子とブラシがなく、整流子を半導体スイッチに置き換えて、機械的接触をなくした電動機である。ブラシレスモーターを用いることで、モーターから放出される電磁波を低減することができるため、ドライヤー本体２の外周面など、モーターの周辺から放出される電磁波を低減することができる。
【００２３】
ブラシレスモーターから放出される電磁波を、後述する計測器７で計測すると、３〜４ｍＧであった。これに対し、通常の送風ファンモーターから放出される電磁波は、２５〜４０ｍＧぐらいである。送風ファンモーター４１として、ブラシレスモーターを利用することで、ドライヤー本体２の側面から放出される電磁波をかなり低減することができる。
【００２４】
ドライヤー本体２の下部には、ハンドル１１が設けられている。ハンドル１１は、ドライヤー本体２に対して折りたたみ可能に設けられていてもよい。なお、送風ファンモーター４１の回転速度は、ハンドル１１に設けたスイッチ１２の切換えにより、たとえば、高速と中速と低速とに切換え可能に設定される。
【００２５】
ハンドル１１の下端部からは、電源コード５が延出していてもよい。電源コード５は、電源供給線の入力ライン５１と出力ライン５２とを含む。
【００２６】
ヘアードライヤー１の吹出口２１には、円柱形状のセラミック製ハニカム状構造体６が設けられている。セラミック製ハニカム状構造体６は、電熱線３１の温風下流側に配置され、複数の六角柱形状の孔が送風方向に沿って形成されている。
【００２７】
このセラミック製ハニカム状構造体６は、ＳｉＣ、ＳｉＯ２、Ｂ４Ｃ、ＡｌＮ、Ａｌ２Ｏ３、ＭｇＯ等の公知のセラミック材料により形成することができる。なお、セラミック製ハニカム状構造体６には、炭素粉末を被覆させてもよい。このような構造とされることにより、ヘアードライヤー１の赤外線放射効率を向上させることができ、髪を傷めにくくすることができる。
【００２８】
図２は、電熱線３１の巻回状態を説明するための概念図である。図１および図２を参照して、電熱線３１について説明する。
【００２９】
電熱線３１は、電力供給線の入力ライン５１と出力ライン５２の間に２本の第１電熱線３１ａと第２電熱線３１ｂとを並列的に接続している。第１電熱線３１ａは、入力ライン５１側が絶縁耐火性支持体３２の後端側から先端側にわたって巻回し、絶縁耐火性支持体３２の先端側で出力ライン５２と接続されている。
【００３０】
一方、第２電熱線３１ｂは、絶縁耐火性支持体３２の先端側で入力ライン５１と接続され、先端側から後端側に向けて巻回し、絶縁耐火性支持体３２の後端側で出力ライン５２と接続されている。第１電熱線３１ａと第２電熱線３１ｂとは、交互配列となるように所望の間隔で巻回してあり、両電熱線３１ａ，３１ｂの巻き方は同じ方向となっている。
【００３１】
このような構造とされることにより、隣り合う第１電熱線３１ａと第２電熱線３１ｂとに流れる電流は、位相が逆となり、電流は逆向きとなる。これにより、隣り合う第１電熱線３１ａと第２電熱線３１ｂとを流れる電流が逆向きとなり、磁力線および電気力線が相殺される。
【００３２】
図３は、電源コード５の断面図であり、図４は、電源コード５を構成する入力ライン５１と出力ライン５２をツイストした状態を示す模式図であり、図５は、入力ラインと出力ラインをツイストさせた状態において、電流の流れを示す概念図である。次に、図３〜５を参照して、電源コード５の説明をする。
【００３３】
電源コード５は、電力供給線の入力ライン５１と出力ライン５２とを含む。入力ライン５１と出力ライン５２とは、それぞれ絶縁体で被覆されている。入力ライン５１と出力ライン５２とは、入力ライン５１と出力ライン５２とから生じる電磁波を相殺するようにツイストされて（撚り合わされて）、ツイストペアケーブルの形態とされている。
【００３４】
このような構造とされることにより、図５で示すように、入力ライン５１と出力ライン５２とを流れる電流が逆向きとなり、磁力線と電気力線が相殺され、電磁波が相殺される。これにより、電源コード５から放出される電磁波を低減することができる。
【００３５】
なお、ツイストペアケーブルの形態とされた入力ライン５１と出力ライン５２とは、その回りを絶縁体で被覆して固定されていることが望ましい。図４の説明において、電源コード５のツイストしたライン５１，５２を被覆する絶縁体の図示は、省略している。
【００３６】
ヘアードライヤー１の電源コード５は、ハンドル１１の下端部から延出しているため、使用時には、女性の胸あたりに電源コード５が垂れてくることが多い。そのため、電源コード５から放出される電磁波は、特に、女性への影響が懸念されていた。しかし、このような構成とされることにより、ヘアードライヤー１の電源コード５から放出される電磁波をかなり低減することができるため、電磁波による女性への懸念が解消される。
【００３７】
次に、電源コード５を構成する入力ライン５１と出力ライン５２とから放出される電磁波について、比較実験を行った。なお、電磁波の測定には、計測器７として、株式会社万雄製電磁波テスターを使用した。本考案において、１回のツイストとは、図４のＴで示し、ライン５１，５２の延伸方向に対して直交する方向からこのライン５１，５２を見たときに、ライン５１，５２が１８０度ねじられて、ライン５１，５２同士の位置が入れ替わり、さらに１８０度ねじられて元の位置に戻る状態をいう。
【００３８】
図６は、入力ライン５１の電磁波を計測した状態を示す図である。入力ライン５１から放出される電磁波を計測器７で計測すると、４７２ｍＧであった。出力ライン５２のみについても、同様の結果を得た。
【００３９】
図７は、入力ライン５１と出力ライン５２とを平行にした形態の電磁波を計測した状態を示す図である。このライン５１，５２を平行にした形態から放出される電磁波を計測器７で計測すると、１４４ｍＧであった。
【００４０】
図８は、入力ライン５１と出力ライン５２とを５ｃｍ当たり１回ツイストした形態の電磁波を計測した状態を示す図である。図８〜１１で図示されるＬは５ｃｍである。このライン５１，５２から放出される電磁波を計測器７で計測すると、１２１ｍＧであった。
【００４１】
図９は、入力ライン５１と出力ライン５２とを５ｃｍ当たり２回ツイストさせた形態の電磁波を計測した状態を示す図である。のライン５１，５２から放出される電磁波を計測器７で計測すると、４４ｍＧであった。
【００４２】
図１０は、入力ライン５１と出力ライン５２とを５ｃｍ当たり３回ツイストした形態の電磁波を計測した状態を示す図である。このライン５１，５２から放出される電磁波を計測器７で計測すると、３ｍＧであった。
【００４３】
図１１は、入力ライン５１と出力ライン５２とを５ｃｍ当たり５回（１ｃｍ／回）ツイストした形態の電磁波を計測した状態を示す図である。このライン５１，５２から放出される電磁波を計測器７で計測すると、１ｍＧであった。
【００４４】
以上より、電源コード５を構成する入力ライン５１と出力ライン５２とをツイストする回数を増やすにつれ、電源コード５から放出される電磁波が低減することが判明した。電源コード５のツイスト回数は、０．５ｃｍ／回であり、好ましくは、１ｃｍ／回である。このような構造とされることにより、ツイストペアケーブルの形態となっている電源コード５から放出される電磁波は、３ｍＧ以下にすることができる。
【００４５】
したがって、ドライヤー本体２から放出される電磁波を低減させるとともに、電源コード５から放出される電磁波を低減させることができ、トータルでヘアードライヤー１全体から放出される電磁波を低減させることができる。
【００４６】
以上、図面を参照してこの考案の実施形態を説明したが、この考案は、図示する実施形態のものに限定されない。図示された実施形態に対して、この考案と同一の範囲内において、あるいは均等の範囲内において、種々の修正や変形を加えることが可能である。
【符号の説明】
【００４７】
１  ヘアードライヤー、２  ドライヤー本体、３  ヒーターユニット、４  送風ファンユニット、５  電源コード、６  セラミック製ハニカム状構造体、７  計測器、１１  ハンドル、２１  吹出口、２２  吸込口、２３  通気路、３１  電熱線、３１ａ  第１電熱線、３１ｂ  第２電熱線、３２  絶縁耐火性支持体、４１  送風ファンモーター、４２  送風ファン、５１  入力ライン、５２  出力ライン。
【図１】
0003197592.tif 000003
【図２】
0003197592.tif 000004
【図３】
0003197592.tif 000005
【図４】
0003197592.tif 000006
【図５】
0003197592.tif 000007
【図６】
0003197592.tif 000008
【図７】
0003197592.tif 000009
【図８】
0003197592.tif 000010
【図９】
0003197592.tif 000011
【図１０】
0003197592.tif 000012
【図１１】
0003197592.tif 000013
【手続補正書】
【提出日】平成27年3月25日(2015.3.25)
【手続補正１】
【補正対象書類名】実用新案登録請求の範囲
【補正対象項目名】全文
【補正方法】変更
【補正の内容】
【実用新案登録請求の範囲】
【請求項１】
吹出口と吸込口とを連通する通気路を内部に形成したドライヤー本体と、
当該ドライヤー本体に内蔵された送風ファンユニットおよびヒーターユニットと、
前記ドライヤー本体から延出した電源コードとを備え、
前記電源コードは、電力供給線の入力ラインと出力ラインとを含み、
前記入力ラインと前記出力ラインとは、前記入力ラインと前記出力ラインとから生じる電磁波を相殺するように、ツイストペアケーブルの形態とされている、ヘアードライヤー。
【請求項２】
前記電源コードのツイストの回数は、０．５回／ｃｍ以上である、請求項１に記載のヘアードライヤー。
【請求項３】
前記ツイストペアケーブルの形態とされている電源コードから放出される電磁波は、３ｍＧ以下である、請求項１または２に記載のヘアードライヤー。
【請求項４】
絶縁耐火性支持体に電熱線が巻回されたヘアードライヤーであって、
吹出口と吸込口とを連通する通気路を内部に形成したドライヤー本体と、
当該ドライヤー本体に内蔵された送風ファンユニットおよびヒーターユニットと、
ドライヤー本体から延出した電源コードとを備え、
前記電源コードは、電力供給線の入力ラインと出力ラインとを含み、
前記入力ラインと前記出力ラインとの間に第１電熱線及び第２電熱線が並列接続され、
前記第１電熱線及び第２電熱線は、当該電熱線から生じる電磁波を相殺するよう前記第１電熱線と第２電熱線とを流れる電流が逆向きとなるように、前記絶縁耐火性支持体の周囲で交互に同方向で、且つ、隣り合う第１電熱線及び第２電熱線が同等の巻き径で、巻回され、
前記入力ラインと前記出力ラインとは、前記入力ラインと前記出力ラインとから生じる電磁波を相殺するように、ツイストペアケーブルの形態とされている、ヘアードライヤー。
【請求項５】
前記吹出口側に、セラミック製ハニカム状構造体が設けられている、請求項１〜４のいずれかに記載のヘアードライヤー。